(57)【要約】固体電解質材料は、組成式ＬｉａＹｂＭｃＸ６−ｄＦｄで表され、ここで、Ｍは、ＬｉおよびＹを除く金属元素と半金属元素とからなる群より選択される少なくとも１種を含み、Ｘは、Ｃｌ、Ｂｒ、及びＩからなる群より選択される少なくとも１種であり、０＜ａ、  ０＜ｂ、  ０≦ｃ、かつ、０＜ｄ＜６、を満たす。
2019146219.tif 000002
【特許請求の範囲】
【請求項１】
組成式ＬｉａＹｂＭｃＸ６−ｄＦｄで表され、
ここで、Ｍは、ＬｉおよびＹを除く金属元素と半金属元素とからなる群より選択される少なくとも１種を含み、
Ｘは、Ｃｌ、Ｂｒ、及びＩからなる群より選択される少なくとも１種であり、
０＜ａ、
０＜ｂ、
０≦ｃ、かつ、
０＜ｄ＜６、
を満たす、
固体電解質材料。
【請求項２】
２≦ａ≦３．３、
０．６≦ｂ≦１．３３、
０≦ｃ≦１、
１≦ｄ≦３、かつ、
ａ＋３ｂ＋ｍｃ＝６、
を満たし、
ここで、ｍは、Ｍの価数であり、かつ、ｃ＝０の場合にはｍ＝０である、
請求項１に記載の固体電解質材料。
【請求項３】
ｃ＝０、を満たす、
請求項１または２に記載の固体電解質材料。
【請求項４】
０．９≦ｂ≦１．３３、を満たす、
請求項３に記載の固体電解質材料。
【請求項５】
０＜ｃ、を満たし、
Ｍは、Ｃａ、Ｓｒ、Ｂａ、Ｚｒ、及びＡｌからなる群より選択される少なくとも１種である、
請求項１または２に記載の固体電解質材料。
【請求項６】
Ｍは、Ｃａを含み、
０．０５≦ｃ≦１、を満たす、
請求項５に記載の固体電解質材料。
【請求項７】
０．６≦ｂ≦１．１７、を満たす、
請求項６に記載の固体電解質材料。
【請求項８】
Ｍは、Ｓｒを含み、
０．１５≦ｃ≦０．３、を満たす、
請求項５に記載の固体電解質材料。
【請求項９】
２．４≦ａ≦２．７、を満たす、
請求項８に記載の固体電解質材料。
【請求項１０】
Ｍは、Ｂａを含み、
０．１５≦ｃ≦０．６、を満たす、
請求項５に記載の固体電解質材料。
【請求項１１】
０．８≦ｂ≦１、を満たす、
請求項１０に記載の固体電解質材料。
【請求項１２】
Ｍは、Ａｌを含み、
ｃ＝０．１、および、ｂ＝０．９、を満たす、
請求項５に記載の固体電解質材料。
【請求項１３】
Ｍは、Ｚｒを含み、
０．１５≦ｃ≦０．３、を満たす、
請求項５に記載の固体電解質材料。
【請求項１４】
０．７≦ｂ≦０．８５、を満たす、
請求項１３に記載の固体電解質材料。
【請求項１５】
請求項１から１４のいずれかに記載の固体電解質材料と、
正極と、
負極と、
前記正極と前記負極との間に配置される電解質層と、
を備え、
前記正極と前記負極と前記電解質層とのうちの少なくとも１つは、前記固体電解質材料を含む、
電池。
【発明の詳細な説明】
【技術分野】
【０００１】
本開示は、固体電解質材料、および、電池に関する。
【背景技術】
【０００２】
特許文献１には、硫化物固体電解質を用いた全固体電池が開示されている。【０００３】
非特許文献１には、インジウムとフッ素を含むハロゲン化物固体電解質のイオン伝導度が開示されている。
【先行技術文献】
【特許文献】
【０００４】
【特許文献１】特開２０１１−１２９３１２号公報
【非特許文献】
【０００５】
【非特許文献１】Ｙ．Ｔｏｍｉｔａ  ｅｔ．ａｌ．  Ｒｅｃｅｎｔ  Ｉｎｎｏｖａｔｉｏｎｓ  ｉｎ  Ｃｈｅｍｉｃａｌ  Ｅｎｇｉｎｅｅｒｉｎｇ，２０１７，１０，１２−１７
【発明の概要】
【発明が解決しようとする課題】
【０００６】
従来技術においては、高いリチウムイオン伝導度を有する固体電解質材料を実現が望まれる。
【課題を解決するための手段】
【０００７】
本開示の一様態における固体電解質材料は、組成式ＬｉａＹｂＭｃＸ６−ｄＦｄで表され、ここで、Ｍは、ＬｉおよびＹを除く金属元素と半金属元素とからなる群より選択される少なくとも１種を含み、Ｘは、Ｃｌ、Ｂｒ、及びＩからなる群より選択される少なくとも１種であり、０＜ａ、  ０＜ｂ、  ０≦ｃ、かつ、０＜ｄ＜６、を満たす。
【発明の効果】
【０００８】
本開示によれば、高いリチウムイオン伝導度を有する固体電解質材料を実現できる。
【図面の簡単な説明】
【０００９】
【図１】図１は、実施の形態２における電池１０００の概略構成を示す断面図である。
【図２】図２は、イオン伝導度の評価方法を示す模式図である。
【図３】図３は、ＡＣインピーダンス測定によるイオン伝導度の評価結果を示すグラフである。
【図４】図４は、初期放電特性を示すグラフである。
【発明を実施するための形態】
【００１０】
以下、本開示の実施の形態が、図面を参照しながら説明される。
【００１１】
（実施の形態１）
実施の形態１における固体電解質材料は、下記の組成式（１）により表される材料である。
ＬｉａＹｂＭｃＸ６−ｄＦｄ  ・・・式（１）
ここで、Ｍは、Ｌｉ（リチウム）以外およびＹ（イットリウム）以外の金属元素と半金属元素とのうちの少なくとも１つを含む。
【００１２】
また、Ｘは、Ｃｌ（塩素）、Ｂｒ（臭素）、Ｉ（ヨウ素）からなる群より選択される１種または２種以上の元素である。
【００１３】
また、実施の形態１における固体電解質材料は、下記の条件、
０＜ａ、
０＜ｂ、
０≦ｃ、
０＜ｄ＜６、
を満たす。
【００１４】
以上の構成によれば、高いリチウムイオン伝導度を有する固体電解質材料を実現できる。すなわち、ハロゲン化物固体電解質材料にフッ素を導入して電気化学安定性を向上させながら、高いリチウムイオン伝導度を維持させることができる。これに対して、非特許文献１の構成では、フッ素の導入によりリチウムイオン伝導度が著しく低下する。
【００１５】
また、以上の構成によれば、実施の形態１の固体電解質材料を用いることで、硫黄を含まない全固体二次電池を実現することができる。すなわち、実施の形態１の固体電解質材料は、大気に曝露された際に硫化水素が発生する構成（例えば、特許文献１の構成）ではない。このため、硫化水素の発生が無く、安全性に優れた全固体二次電池を実現することができる。
【００１６】
なお、「半金属元素」とは、Ｂ、Ｓｉ、Ｇｅ、Ａｓ、Ｓｂ、Ｔｅである。
【００１７】
また、「金属元素」とは、水素を除く周期表１族から１２族中に含まれるすべての元素、及び、前記の半金属元素とＣ、Ｎ、Ｐ、Ｏ、Ｓ、Ｓｅを除く全ての１３族から１６族中に含まれる元素である。すなわち、ハロゲン化合物と無機化合物を形成した際に、カチオンとなりうる元素群である。
【００１８】
なお、Ｍは、Ｍｇ、Ｃａ、Ｓｒ、Ｂａ、Ｚｎ、Ｓｃ、Ａｌ、Ｇａ、Ｂｉ、Ｚｒ、Ｈｆ、Ｔｉ、Ｓｎ、Ｔａ、Ｎｂからなる群より選択される１種または２種以上の元素であってもよい。
【００１９】
以上の構成によれば、固体電解質材料のイオン導電率をより向上することができる。
【００２０】
なお、組成式（１）においては、
２≦ａ≦３．３、
０．６≦ｂ≦１．３３、
０≦ｃ≦１、
１≦ｄ≦３、
ａ＋３ｂ＋ｍｃ＝６、
が満たされてもよい。
【００２１】
ここで、ｍは、Ｍの価数であり、かつ、ｃ＝０の場合にはｍ＝０である。
【００２２】
以上の構成によれば、固体電解質材料のイオン導電率をより向上することができる。
【００２３】
なお、組成式（１）においては、ｃ＝０、が満たされてもよい。
【００２４】
このとき、０．９≦ｂ≦１．３３、が満たされてもよい。
【００２５】
以上の構成によれば、固体電解質材料のイオン導電率をより向上することができる。
【００２６】
なお、組成式（１）においては、０＜ｃ、が満たされてもよい。
【００２７】
このとき、Ｍは、Ｃａ、Ｓｒ、Ｂａ、Ｚｒ、Ａｌからなる群より選択される１種または２種以上の元素であってもよい。
【００２８】
以上の構成によれば、固体電解質材料のイオン導電率をより向上することができる。
【００２９】
なお、Ｍは、Ｃａを含んでもよい。例えば、Ｍは、Ｃａであってもよい。
【００３０】
このとき、０．０５≦ｃ≦１、が満たされてもよい。
【００３１】
このとき、さらに、０．６≦ｂ≦１．１７、が満たされてもよい。
【００３２】
以上の構成によれば、固体電解質材料のイオン導電率をより向上することができる。
【００３３】
なお、Ｍは、Ｓｒを含んでもよい。例えば、Ｍは、Ｓｒであってもよい。
【００３４】
このとき、０．１５≦ｃ≦０．３、が満たされてもよい。
【００３５】
このとき、さらに、２．４≦ａ≦２．７、が満たされてもよい。
【００３６】
以上の構成によれば、固体電解質材料のイオン導電率をより向上することができる。
【００３７】
なお、Ｍは、Ｂａを含んでもよい。例えば、Ｍは、Ｂａであってもよい。
【００３８】
このとき、０．１５≦ｃ≦０．６、が満たされてもよい。
【００３９】
このとき、さらに、０．８≦ｂ≦１、が満たされてもよい。
【００４０】
以上の構成によれば、固体電解質材料のイオン導電率をより向上することができる。
【００４１】
なお、Ｍは、Ａｌを含んでもよい。例えば、Ｍは、Ａｌであってもよい。
【００４２】
このとき、ｃ＝０．１、および、ｂ＝０．９、が満たされてもよい。
【００４３】
以上の構成によれば、固体電解質材料のイオン導電率をより向上することができる。
【００４４】
なお、Ｍは、Ｚｒを含んでもよい。例えば、Ｍは、Ｚｒであってもよい。
【００４５】
このとき、０．１５≦ｃ≦０．３、が満たされてもよい。
【００４６】
このとき、さらに、０．７≦ｂ≦０．８５、が満たされてもよい。
【００４７】
以上の構成によれば、固体電解質材料のイオン導電率をより向上することができる。
【００４８】
なお、実施の形態１における固体電解質材料は、結晶質であってもよく、非晶質であってもよい。
【００４９】
また、実施の形態１における固体電解質材料の形状は、特に限定されるものではなく、例えば、針状、球状、楕円球状など、であってもよい。例えば、実施の形態１における固体電解質材料は、粒子であってもよい。複数の粒子を積層した後、加圧によりペレット状もしくは板状に成形してもよい。
【００５０】
例えば、実施の形態１における固体電解質材料の形状が粒子状（例えば、球状）の場合、固体電解質材料のメジアン径は、０．１μｍ以上かつ１００μｍ以下であってもよい。
【００５１】
また、実施の形態１においては、固体電解質材料のメジアン径は０．５μｍ以上かつ１０μｍ以下であってもよい。
【００５２】
以上の構成によれば、イオン伝導性をより高めることができる。また、実施の形態１における固体電解質材料と活物質などとのより良好な分散状態を形成できる。
【００５３】
また、実施の形態１においては、固体電解質材料のメジアン径は、活物質のメジアン径より小さくてもよい。
【００５４】
以上の構成によれば、実施の形態１における固体電解質材料と活物質などとのより良好な分散状態を形成できる。
【００５５】
＜固体電解質材料の製造方法＞
実施の形態１における固体電解質材料は、例えば、下記の方法により、製造されうる。
【００５６】
目的とする組成の配合比となるような二元系ハロゲン化物の原料粉を用意する。例えば、Ｌｉ３ＹＢｒ５Ｆ１を作製する場合には、ＬｉＢｒとＹＢｒ３とＹＦ３を、３：０．８３：０．１７程度のモル比で用意する。合成プロセス過程における組成の変化を考慮して、変化分を相殺するようにあらかじめ配合比を調整してもよい。これらにより、上述の値「ａ」と「ｂ」と「ｃ」と「ｄ」とを調整できる。
【００５７】
原料粉をよく混合した後、メカノケミカルミリングの方法を用いて原料粉同士を混合・粉砕・反応させる。その後、真空中または不活性雰囲気中で焼成してもよい。
【００５８】
もしくは、原料粉をよく混合した後、真空中または不活性雰囲気中で焼成してもよい。焼成条件は、例えば、１００℃〜６５０℃の範囲内で、１時間以上の焼成を行うことが好ましい。
【００５９】
これにより、前述したような組成を含む固体電解質材料が得られる。
【００６０】
（実施の形態２）
以下、実施の形態２が説明される。上述の実施の形態１と重複する説明は、適宜、省略される。
【００６１】
実施の形態２における電池は、上述の実施の形態１で説明された固体電解質材料を用いて構成される。
【００６２】
実施の形態２における電池は、固体電解質材料と、正極と、負極と、電解質層と、を備える。
【００６３】
電解質層は、正極と負極との間に設けられる層である。
【００６４】
正極と電解質層と負極とのうちの少なくとも１つは、上述の実施の形態１における固体電解質材料を含む。
【００６５】
以上の構成によれば、高いリチウムイオン伝導度を有する固体電解質材料を用いた電池を実現できる。これにより、例えば、電池の充放電特性を向上させることができる。
【００６６】
以下に、実施の形態２における電池の具体例が、説明される。
【００６７】
図１は、実施の形態２における電池１０００の概略構成を示す断面図である。
【００６８】
実施の形態２における電池１０００は、正極２０１と、負極２０３と、電解質層２０２とを備える。
【００６９】
正極２０１は、正極活物質粒子２０４と固体電解質粒子１００とを含む。
【００７０】
電解質層２０２は、正極２０１と負極２０３との間に配置される。
【００７１】
電解質層２０２は、電解質材料（例えば、固体電解質材料）を含む。
【００７２】
負極２０３は、負極活物質粒子２０５と固体電解質粒子１００とを含む。
【００７３】
固体電解質粒子１００は、実施の形態１における固体電解質材料からなる粒子、または、実施の形態１における固体電解質材料を主たる成分として含む粒子である。
【００７４】
正極２０１は、金属イオン（例えば、リチウムイオン）を吸蔵・放出する特性を有する材料を含む。正極２０１は、例えば、正極活物質（例えば、正極活物質粒子２０４）を含む。
【００７５】
正極活物質には、例えば、リチウム含有遷移金属酸化物（例えば、Ｌｉ（ＮｉＣｏＡｌ）Ｏ２、ＬｉＣｏＯ２、など）、遷移金属フッ化物、ポリアニオンおよびフッ素化ポリアニオン材料、および、遷移金属硫化物、遷移金属オキシフッ化物、遷移金属オキシ硫化物、遷移金属オキシ窒化物、など、が用いられうる。
【００７６】
正極活物質粒子２０４のメジアン径は、０．１μｍ以上かつ１００μｍ以下であってもよい。正極活物質粒子２０４のメジアン径が０．１μｍより小さいと、正極において、正極活物質粒子２０４と固体電解質粒子１００とが、良好な分散状態を形成できない可能性が生じる。この結果、電池の充放電特性が低下する。また、正極活物質粒子２０４のメジアン径が１００μｍより大きいと、正極活物質粒子２０４内のリチウム拡散が遅くなる。このため、電池の高出力での動作が困難となる場合がある。
【００７７】
正極活物質粒子２０４のメジアン径は、固体電解質粒子１００のメジアン径よりも、大きくてもよい。これにより、正極活物質粒子２０４と固体電解質粒子１００との良好な分散状態を形成できる。
【００７８】
正極２０１に含まれる、正極活物質粒子２０４と固体電解質粒子１００の体積比率「ｖ：１００−ｖ」について、３０≦ｖ≦９５であってもよい。ｖ＜３０では、十分な電池のエネルギー密度確保が困難となる可能性がある。また、ｖ＞９５では、高出力での動作が困難となる可能性がある。
【００７９】
正極２０１の厚みは、１０μｍ以上かつ５００μｍ以下であってもよい。なお、正極の厚みが１０μｍより薄い場合には、十分な電池のエネルギー密度の確保が困難となる可能性がある。なお、正極の厚みが５００μｍより厚い場合には、高出力での動作が困難となる可能性がある。
【００８０】
電解質層２０２は、電解質材料を含む層である。当該電解質材料は、例えば、固体電解質材料である。すなわち、電解質層２０２は、固体電解質層であってもよい。
【００８１】
なお、電解質層２０２は、実施の形態１における固体電解質材料を、主成分として、含んでもよい。すなわち、電解質層２０２は、実施の形態１における固体電解質材料を、例えば、電解質層２０２の全体に対する重量割合で５０％以上（５０重量％以上）、含んでもよい。
【００８２】
以上の構成によれば、電池の充放電特性を、より向上させることができる。
【００８３】
また、電解質層２０２は、実施の形態１における固体電解質材料を、例えば、電解質層２０２の全体に対する重量割合で７０％以上（７０重量％以上）、含んでもよい。
【００８４】
以上の構成によれば、電池の充放電特性を、より向上させることができる。
【００８５】
なお、電解質層２０２は、実施の形態１における固体電解質材料を主成分として含みながら、さらに、不可避的な不純物、または、実施の形態１における固体電解質材料を合成する際に用いられる出発原料および副生成物および分解生成物など、を含んでいてもよい。
【００８６】
また、電解質層２０２は、実施の形態１における固体電解質材料を、例えば、混入が不可避的な不純物を除いて、電解質層２０２の全体に対する重量割合で１００％（１００重量％）、含んでもよい。
【００８７】
以上の構成によれば、電池の充放電特性を、より向上させることができる。
【００８８】
以上のように、電解質層２０２は、実施の形態１における固体電解質材料のみから構成されていてもよい。
【００８９】
もしくは、実施の形態１における固体電解質材料とは異なる固体電解質材料のみから構成されていてもよい。実施の形態１における固体電解質材料とは異なる固体電解質材料として、例えば、Ｌｉ２ＭｇＸ４、Ｌｉ２ＦｅＸ４、Ｌｉ（Ａｌ，Ｇａ，Ｉｎ）Ｘ４、Ｌｉ３（Ａｌ，Ｇａ，Ｉｎ）Ｘ６、ＬｉＩ、など（Ｘ：Ｆ，Ｃｌ，Ｂｒ，Ｉ）、が用いられうる。
【００９０】
固体電解質層は、実施の形態１における固体電解質材料と、上述の実施の形態１における固体電解質材料とは異なる固体電解質材料とを、同時に含んでもよい。このとき、両者が均一に分散していてもよい。実施の形態１における固体電解質材料からなる層と、上述の実施の形態１における固体電解質材料とは異なる固体電解質材料からなる層とが、電池の積層方向に対して、順に配置されていてもよい。
【００９１】
固体電解質層の厚みは、１μｍ以上かつ１０００μｍ以下であってもよい。固体電解質層の厚みが１μｍより薄い場合には、正極２０１と負極２０３とが短絡する可能性が高まる。また、固体電解質層の厚みが１０００μｍより厚い場合には、高出力での動作が困難となる可能性がある。
【００９２】
負極２０３は、金属イオン（例えば、リチウムイオン）を吸蔵・放出する特性を有する材料を含む。負極２０３は、例えば、負極活物質（例えば、負極活物質粒子２０５）を含む。
【００９３】
負極活物質には、金属材料、炭素材料、酸化物、窒化物、錫化合物、珪素化合物、など、が使用されうる。金属材料は、単体の金属であってもよい。もしくは、金属材料は、合金であってもよい。金属材料の例として、リチウム金属、リチウム合金、など、が挙げられる。炭素材料の例として、天然黒鉛、コークス、黒鉛化途上炭素、炭素繊維、球状炭素、人造黒鉛、非晶質炭素、など、が挙げられる。容量密度の観点から、珪素（Ｓｉ）、錫（Ｓｎ）、珪素化合物、錫化合物、を好適に使用できる。平均反応電圧が低い負極活物質を用いた場合に、実施の形態１における固体電解質材料による電気分解抑制の効果が、より良く発揮される。
【００９４】
負極活物質粒子２０５のメジアン径は、０．１μｍ以上かつ１００μｍ以下であってもよい。負極活物質粒子２０５のメジアン径が０．１μｍより小さいと、負極において、負極活物質粒子２０５と固体電解質粒子１００とが、良好な分散状態を形成できない可能性が生じる。これにより、電池の充放電特性が低下する。また、負極活物質粒子２０５のメジアン径が１００μｍより大きいと、負極活物質粒子２０５内のリチウム拡散が遅くなる。このため、電池の高出力での動作が困難となる場合がある。
【００９５】
負極活物質粒子２０５のメジアン径は、固体電解質粒子１００のメジアン径よりも、大きくてもよい。これにより、負極活物質粒子２０５とハロゲン化物固体電解質材料との良好な分散状態を形成できる。
【００９６】
負極２０３に含まれる、負極活物質粒子２０５と固体電解質粒子１００の体積比率「ｖ：１００−ｖ」について、３０≦ｖ≦９５であってもよい。ｖ＜３０では、十分な電池のエネルギー密度確保が困難となる可能性がある。また、ｖ＞９５では、高出力での動作が困難となる可能性がある。
【００９７】
負極２０３の厚みは、１０μｍ以上かつ５００μｍ以下であってもよい。負極の厚みが１０μｍより薄い場合には、十分な電池のエネルギー密度の確保が困難となる可能性がある。また、負極の厚みが５００μｍより厚い場合には、高出力での動作が困難となる可能性がある。
【００９８】
正極２０１と電解質層２０２と負極２０３とのうちの少なくとも１つには、イオン伝導性または化学的安定性・電気化学的安定性を高める目的で、硫化物固体電解質または酸化物固体電解質が含まれてもよい。硫化物固体電解質として、Ｌｉ２Ｓ−Ｐ２Ｓ５、Ｌｉ２Ｓ−ＳｉＳ２、Ｌｉ２Ｓ−Ｂ２Ｓ３、Ｌｉ２Ｓ−ＧｅＳ２、Ｌｉ３．２５Ｇｅ０．２５Ｐ０．７５Ｓ４、Ｌｉ１０ＧｅＰ２Ｓ１２、など、が用いられうる。酸化物固体電解質として、ＬｉＴｉ２（ＰＯ４）３およびその元素置換体を代表とするＮＡＳＩＣＯＮ型固体電解質、（ＬａＬｉ）ＴｉＯ３系のペロブスカイト型固体電解質、Ｌｉ１４ＺｎＧｅ４Ｏ１６、Ｌｉ４ＳｉＯ４、ＬｉＧｅＯ４およびその元素置換体を代表とするＬＩＳＩＣＯＮ型固体電解質、Ｌｉ７Ｌａ３Ｚｒ２Ｏ１２およびその元素置換体を代表とするガーネット型固体電解質、Ｌｉ３ＮおよびそのＨ置換体、Ｌｉ３ＰＯ４およびそのＮ置換体、など、が用いられうる。
【００９９】
正極２０１と電解質層２０２と負極２０３とのうちの少なくとも１つには、イオン伝導性を高める目的で、有機ポリマー固体電解質が含まれてもよい。有機ポリマー固体電解質として、例えば高分子化合物と、リチウム塩との化合物が用いられうる。高分子化合物はエチレンオキシド構造を有していてもよい。エチレンオキシド構造を有することで、リチウム塩を多く含有することができ、イオン導電率をより高めることができる。リチウム塩としては、ＬｉＰＦ６、ＬｉＢＦ４、ＬｉＳｂＦ６、ＬｉＡｓＦ６、ＬｉＳＯ３ＣＦ３、ＬｉＮ（ＳＯ２ＣＦ３）２、ＬｉＮ（ＳＯ２Ｃ２Ｆ５）２、ＬｉＮ（ＳＯ２ＣＦ３）（ＳＯ２Ｃ４Ｆ９）、ＬｉＣ（ＳＯ２ＣＦ３）３、など、が使用されうる。リチウム塩として、これらから選択される１種のリチウム塩が、単独で、使用されうる。もしくは、リチウム塩として、これらから選択される２種以上のリチウム塩の混合物が、使用されうる。
【０１００】
正極２０１と電解質層２０２と負極２０３とのうちの少なくとも１つには、リチウムイオンの授受を容易にし、電池の出力特性を向上する目的で、非水電解質液、ゲル電解質、イオン液体が含まれてもよい。
【０１０１】
非水電解液は、非水溶媒と、非水溶媒に溶けたリチウム塩と、を含む。非水溶媒としては、環状炭酸エステル溶媒、鎖状炭酸エステル溶媒、環状エーテル溶媒、鎖状エーテル溶媒、環状エステル溶媒、鎖状エステル溶媒、フッ素溶媒、など、が使用されうる。環状炭酸エステル溶媒の例としては、エチレンカーボネート、プロピレンカーボネート、ブチレンカーボネート、など、が挙げられる。鎖状炭酸エステル溶媒の例としては、ジメチルカーボネート、エチルメチルカーボネート、ジエチルカーボネート、など、が挙げられる。環状エーテル溶媒の例としては、テトラヒドロフラン、１，４−ジオキサン、１，３−ジオキソラン、など、が挙げられる。鎖状エーテル溶媒としては、１，２−ジメトキシエタン、１，２−ジエトキシエタン、など、が挙げられる。環状エステル溶媒の例としては、γ−ブチロラクトン、など、が挙げられる。鎖状エステル溶媒の例としては、酢酸メチル、など、が挙げられる。フッ素溶媒の例としては、フルオロエチレンカーボネート、フルオロプロピオン酸メチル、フルオロベンゼン、フルオロエチルメチルカーボネート、フルオロジメチレンカーボネート、など、が挙げられる。非水溶媒として、これらから選択される１種の非水溶媒が、単独で、使用されうる。もしくは、非水溶媒として、これらから選択される２種以上の非水溶媒の組み合わせが、使用されうる。非水電解液には、フルオロエチレンカーボネート、フルオロプロピオン酸メチル、フルオロベンゼン、フルオロエチルメチルカーボネート、フルオロジメチレンカーボネートからなる群より選択される少なくとも１種のフッ素溶媒が含まれていてもよい。リチウム塩としては、ＬｉＰＦ６、ＬｉＢＦ４、ＬｉＳｂＦ６、ＬｉＡｓＦ６、ＬｉＳＯ３ＣＦ３、ＬｉＮ（ＳＯ２ＣＦ３）２、ＬｉＮ（ＳＯ２Ｃ２Ｆ５）２、ＬｉＮ（ＳＯ２ＣＦ３）（ＳＯ２Ｃ４Ｆ９）、ＬｉＣ（ＳＯ２ＣＦ３）３、など、が使用されうる。リチウム塩として、これらから選択される１種のリチウム塩が、単独で、使用されうる。もしくは、リチウム塩として、これらから選択される２種以上のリチウム塩の混合物が、使用されうる。リチウム塩の濃度は、例えば、０．５〜２ｍｏｌ／リットルの範囲にある。
【０１０２】
ゲル電解質は、ポリマー材料に非水電解液を含ませたものを用いることができる。ポリマー材料として、ポリエチレンオキシド、ポリアクリルニトリル、ポリフッ化ビニリデン、ポリメチルメタクリレート、エチレンオキシド結合を有するポリマー、など、が用いられてもよい。
【０１０３】
イオン液体を構成するカチオンは、テトラアルキルアンモニウム、テトラアルキルホスホニウムなどの脂肪族鎖状４級塩類、ピロリジニウム類、モルホリニウム類、イミダゾリニウム類、テトラヒドロピリミジニウム類、ピペラジニウム類、ピペリジニウム類などの脂肪族環状アンモニウム、ピリジニウム類、イミダゾリウム類などの含窒ヘテロ環芳香族カチオンなどであってもよい。イオン液体を構成するアニオンは、ＰＦ６−、ＢＦ４−、ＳｂＦ６-−、ＡｓＦ６−、ＳＯ３ＣＦ３−、Ｎ（ＳＯ２ＣＦ３）２−、Ｎ（ＳＯ２Ｃ２Ｆ５）２−、Ｎ（ＳＯ２ＣＦ３）（ＳＯ２Ｃ４Ｆ９）−、Ｃ（ＳＯ２ＣＦ３）３−などであってもよい。また、イオン液体はリチウム塩を含有してもよい。
【０１０４】
正極２０１と電解質層２０２と負極２０３とのうちの少なくとも１つには、粒子同士の密着性を向上する目的で、結着剤が含まれてもよい。結着剤は、電極を構成する材料の結着性を向上するために、用いられる。結着剤としては、ポリフッ化ビニリデン、ポリテトラフルオロエチレン、ポリエチレン、ポリプロピレン、アラミド樹脂、ポリアミド、ポリイミド、ポリアミドイミド、ポリアクリルニトリル、ポリアクリル酸、ポリアクリル酸メチルエステル、ポリアクリル酸エチルエステル、ポリアクリル酸ヘキシルエステル、ポリメタクリル酸、ポリメタクリル酸メチルエステル、ポリメタクリル酸エチルエステル、ポリメタクリル酸ヘキシルエステル、ポリ酢酸ビニル、ポリビニルピロリドン、ポリエーテル、ポリエーテルサルフォン、ヘキサフルオロポリプロピレン、スチレンブタジエンゴム、カルボキシメチルセルロース、など、が挙げられる。また、結着剤としては、テトラフルオロエチレン、ヘキサフルオロエチレン、ヘキサフルオロプロピレン、パーフルオロアルキルビニルエーテル、フッ化ビニリデン、クロロトリフルオロエチレン、エチレン、プロピレン、ペンタフルオロプロピレン、フルオロメチルビニルエーテル、アクリル酸、ヘキサジエンより選択された２種以上の材料の共重合体が用いられうる。また、これらのうちから選択された２種以上が混合されて、結着剤として用いられてもよい。
【０１０５】
また、正極２０１および負極２０３のうちの少なくとも一方は、必要に応じて、導電助剤を含んでもよい。
【０１０６】
導電助剤は、電極抵抗を低減するために、用いられる。導電助剤としては、天然黒鉛または人造黒鉛のグラファイト類、アセチレンブラック、ケッチェンブラックなどのカーボンブラック類、炭素繊維または金属繊維などの導電性繊維類、フッ化カーボン、アルミニウムなどの金属粉末類、酸化亜鉛またはチタン酸カリウムなどの導電性ウィスカー類、酸化チタンなどの導電性金属酸化物、ポリアニリン、ポリピロール、ポリチオフェンなどの導電性高分子化合物、など、が挙げられる。なお、導電助剤として、炭素導電助剤を用いることで、低コスト化が図れる。
【０１０７】
なお、実施の形態２における電池は、コイン型、円筒型、角型、シート型、ボタン型、扁平型、積層型、など、種々の形状の電池として、構成されうる。
【実施例】
【０１０８】
以下、実施例および比較例を用いて、本開示の詳細が説明される。【０１０９】
≪実施例１≫
［固体電解質材料の作製］
露点−６０℃以下のアルゴン雰囲気で、原料粉ＬｉＢｒとＹＢｒ３とＹＦ３とを、モル比でＬｉＢｒ：ＹＢｒ３：ＹＦ３＝３：０．８３：０．１７となるように、秤量した。これらを乳鉢で粉砕して混合した。その後、遊星型ボールミルを用い、１２時間、５００ｒｐｍでミリング処理した。【０１１０】
以上により、Ｌｉ３ＹＢｒ５Ｆ１の組成式で表される実施例１の固体電解質材料の粉末を得た。【０１１１】
［イオン伝導度の評価］
図２は、イオン伝導度の評価方法を示す模式図である。【０１１２】
加圧成形用ダイス３００は、電子的に絶縁性のポリカーボネート製の枠型３０１と、電子伝導性のステンレス製のパンチ上部３０３およびパンチ下部３０２とから構成される。【０１１３】
図３に示す構成を用いて、下記の方法にて、イオン伝導度の評価を行った。【０１１４】
露点−３０℃以下のドライ雰囲気で、実施例１の固体電解質材料の粉末を加圧成形用ダイス３００に充填し、４００ＭＰａで一軸加圧し、実施例１の伝導度測定セルを作製した。【０１１５】
加圧状態のまま、パンチ上部３０３とパンチ下部３０２のそれぞれから導線を取り回し、周波数応答アナライザを搭載したポテンショスタット（Ｐｒｉｎｃｅｔｏｎ  Ａｐｐｌｉｅｄ  Ｒｅｓｅａｒｃｈ社  ＶｅｒｓａＳＴＡＴ４）に接続し、電気化学的インピーダンス測定法により、室温におけるイオン伝導度の測定を行った。【０１１６】
インピーダンス測定結果のＣｏｌｅ−Ｃｏｌｅ線図を図３に示す。【０１１７】
図３において、複素インピーダンスの位相の絶対値が最も小さい測定点（図３中の矢印）のインピーダンスの実数値を実施例１の固体電解質のイオン伝導に対する抵抗値とみなした。【０１１８】
電解質の抵抗値を用いて、下記式（２）より、イオン伝導度を算出した。
σ＝（ＲＳＥ×Ｓ／ｔ）−１  ・・・・  （２）
ここで、σはイオン伝導度、Ｓは電解質面積（図２中、枠型３０１の内径）、Ｒは上記のインピーダンス測定における固体電解質の抵抗値、ｔは電解質の厚み（図２中、複数の固体電解質粒子１００の圧縮体の厚み）である。【０１１９】
２２℃で測定された、実施例１の固体電解質材料のイオン伝導度は、２．５８×１０−４Ｓ／ｃｍであった。【０１２０】
≪実施例２〜６３≫
以下、ＬｉａＹｂＭｃＸ６−ｄＦｄの合成および評価方法について説明する。【０１２１】
［固体電解質材料の作製］
実施例２〜６３においては、露点−９０℃以下、酸素値５ｐｐｍ以下のドライ・低酸素雰囲気で保たれるグローブボックス内で、原料粉を秤量した。【０１２２】
実施例２〜４においては、原料粉ＬｉＢｒとＹＢｒ３とＹＦ３とを、モル比でＬｉＢｒ：ＹＢｒ３：ＹＦ３＝ａ：（３−ｄ）／３：ｄ／３となるように、秤量した。【０１２３】
実施例５においては、原料粉ＬｉＣｌとＹＣｌ３とＹＦ３とを、モル比でＬｉＣｌ：ＹＣｌ３：ＹＦ３＝３：０．３３：０．６７となるように、秤量した。【０１２４】
実施例６においては、原料粉ＬｉＩとＹＦ３とを、モル比でＬｉＩ：ＹＦ３＝１：１となるように秤量した。【０１２５】
実施例７においては、原料粉ＬｉＩとＬｉＢｒとＹＢｒ３とＹＦ３とを、モル比でＬｉＩ：ＬｉＢｒ：ＹＢｒ３：ＹＦ３＝０．５：２．５：０．３３：０．６７となるように、秤量した。【０１２６】
実施例８においては、原料粉ＬｉＩとＬｉＢｒとＹＦ３とを、モル比でＬｉＩ：ＬｉＢｒ：ＹＦ３＝１：２：１となるように、秤量した。【０１２７】
実施例９〜１７においては、原料粉ＬｉＩとＬｉＢｒとＹＢｒ３とＹＦ３とを、モル比でＬｉＩ：ＬｉＢｒ：ＹＢｒ３：ＹＦ３＝２：ａ−２：ｃ−ｄ／３：ｄ／３となるように、秤量した。【０１２８】
実施例１８〜１９においては、原料粉ＬｉＩとＬｉＢｒとＹＢｒ３とＹＦ３とを、モル比でＬｉＩ：ＬｉＢｒ：ＹＢｒ３：ＹＦ３＝２．５：ａ−２．５：ｃ−ｄ／３：ｄ／３となるように、秤量した。【０１２９】
実施例２０においては、原料粉ＬｉＩとＹＢｒ３とＹＦ３とを、モル比でＬｉＩ：ＹＢｒ３：ＹＦ３＝１：０．５：０．５となるように、秤量した。【０１３０】
実施例２１においては、原料粉ＬｉＢｒとＬｉＣｌとＹＣｌ３とＹＦ３とを、モル比でＬｉＢｒ：ＬｉＣｌ：ＹＢｒ３：ＹＦ３＝２：１：０．３３：０．６７となるように、秤量した。【０１３１】
実施例２２においては、原料粉ＬｉＢｒとＹＣｌ３とＹＦ３とを、モル比でＬｉＢｒ：ＹＢｒ３：ＹＦ３＝３：０．５：０．５となるように、秤量した。【０１３２】
実施例２３においては、原料粉ＬｉＩとＬｉＣｌとＹＣｌ３とＹＦ３とを、モル比でＬｉＩ：ＬｉＣｌ：ＹＢｒ３：ＹＦ３＝２：１：０．３３：０．６７となるように、秤量した。【０１３３】
実施例２４においては、原料粉ＬｉＩとＬｉＢｒとＹＢｒ３とＹＦ３とＣａＢｒ２とを、モル比でＬｉＩ：ＬｉＢｒ：ＹＢｒ３：ＹＦ３：ＣａＢｒ２＝０．５：２：０．１３：０．６７：０．５５となるように、秤量した。【０１３４】
実施例２５においては、原料粉ＬｉＩとＬｉＢｒとＹＢｒ３とＹＦ３とＣａＢｒ２とを、モル比でＬｉＩ：ＬｉＢｒ：ＹＢｒ３：ＹＦ３：ＣａＢｒ２＝１：１．２５：０．０８：０．６７：０．７５となるように、秤量した。【０１３５】
実施例２６〜４７においては、原料粉ＬｉＩとＬｉＢｒとＹＢｒ３とＹＦ３とＭＢｒ２とを、モル比でＬｉＩ：ＬｉＢｒ：ＹＢｒ３：ＹＦ３：ＣａＢｒ２＝２：ａ−２：ｂ−０．６７：０．６７：ｃとなるように、秤量した。【０１３６】
実施例４８においては、原料粉ＬｉＩとＬｉＢｒとＹＢｒ３とＹＦ３とＣａＢｒ２とを、モル比でＬｉＩ：ＬｉＢｒ：ＹＢｒ３：ＹＦ３：ＣａＢｒ２＝２．１：０．３：０．２：０．６：０．６となるように、秤量した。【０１３７】
実施例４９においては、原料粉ＬｉＩとＬｉＢｒとＹＢｒ３とＹＦ３とＣａＢｒ２とを、モル比でＬｉＩ：ＬｉＢｒ：ＹＢｒ３：ＹＦ３：ＣａＢｒ２＝２．１５：０．２５：０．２３：０．５７：０．６となるように、秤量した。【０１３８】
実施例５０〜５１においては、原料粉ＬｉＩとＬｉＢｒとＹＢｒ３とＹＦ３とＣａＢｒ２とを、モル比でＬｉＩ：ＬｉＢｒ：ＹＢｒ３：ＹＦ３：ＣａＢｒ２＝２．２：ａ−２．２：ｂ−ｄ／３：ｄ／３：ｃとなるように、秤量した。【０１３９】
実施例５２〜５３においては、原料粉ＬｉＩとＬｉＢｒとＹＢｒ３とＹＦ３とＣａＢｒ２とを、モル比でＬｉＩ：ＬｉＢｒ：ＹＢｒ３：ＹＦ３：ＣａＢｒ２＝２．２５：ａ−２．２５：ｂ−ｄ／３：ｄ／３：ｃとなるように、秤量した。【０１４０】
実施例５４においては、原料粉ＬｉＩとＹＢｒ３とＹＦ３とＣａＢｒ２とを、モル比でＬｉＩ：ＹＢｒ３：ＹＦ３：ＣａＢｒ２＝２．５：０．２５：０．５：０．６２５となるように、秤量した。【０１４１】
実施例５５〜５６においては、原料粉ＬｉＩとＬｉＣｌとＹＣｌ３とＹＦ３とＣａＣｌ２とを、モル比でＬｉＩ：ＬｉＣｌ：ＹＢｒ３：ＹＦ３：ＣａＢｒ２＝２：０．４：ｂ−０．６７：０．６７：ｃとなるように、秤量した。【０１４２】
実施例５７においては、原料粉ＬｉＩとＹＣｌ３とＹＦ３とＣａＣｌ２とを、モル比でＬｉＩ：ＹＢｒ３：ＹＦ３：ＣａＢｒ２＝２．４：０．１３：０．６７：０．６となるように、秤量した。【０１４３】
実施例５８においては、原料粉ＬｉＣｌとＬｉＢｒとＹＢｒ３とＹＦ３とＣａＢｒ２とを、モル比でＬｉＣｌ：ＬｉＢｒ：ＹＢｒ３：ＹＦ３：ＣａＢｒ２＝２：０．４：０．１３：０．６７：０．６となるように、秤量した。【０１４４】
実施例５９においては、原料粉ＬｉＣｌとＹＢｒ３とＹＦ３とＣａＢｒ２とを、モル比でＬｉＣｌ：ＹＢｒ３：ＹＦ３：ＣａＢｒ２＝２。４：０．１３：０．６７：０．６となるように、秤量した。【０１４５】
実施例６０においては、原料粉ＬｉＩとＬｉＣｌとＹＣｌ３とＹＦ３とＣａＢｒ２とを、モル比でＬｉＣｌ：ＬｉＢｒ：ＹＢｒ３：ＹＦ３：ＣａＢｒ２＝２：０．４：０．１３：０．６７：０．６となるように、秤量した。【０１４６】
実施例６１においては、原料粉ＬｉＢｒとＬｉＦとＹＢｒ３とＹＣｌ３とＡｌＣｌ３とを、モル比でＬｉＢｒ：ＬｉＦ：ＹＢｒ３：ＹＣｌ３：ＡｌＣｌ３＝２：１：０．３３：０．５７：０．１となるように、秤量した。【０１４７】
実施例６２〜６３においては、原料粉ＬｉＢｒとＬｉＦとＹＢｒ３とＹＣｌ３とＺｒＣｌ４とを、モル比でＬｉＢｒ：ＬｉＦ：ＹＢｒ３：ＹＣｌ３：ＺｒＣｌ４＝２：１：０．３３：（２−４ｃ）／３：ｃとなるように、秤量した。【０１４８】
実施例２〜６３のそれぞれにおける「ａの値」、「ｂの値」、「ｃの値」、「ｄの値」、「Ｍの元素種」は、後述の表１に示される。【０１４９】
上記の実施例１と同様の方法で、実施例２〜６３のそれぞれの固体電解質材料を作製した。【０１５０】
［イオン伝導度の評価］
露点−９０℃以下、酸素値５ｐｐｍ以下のドライ・低酸素雰囲気で保たれるグローブボックス内で、上記の実施例１と同様の方法で、実施例２〜６３のそれぞれの伝導度測定セルを作製した。【０１５１】
これ以外は、上記の実施例１と同様の方法で、イオン伝導度の測定を行った。【０１５２】
上述の実施例２〜６３におけるイオン伝導度は、後述の表１に示される。【０１５３】
上述の実施例１〜６３における各構成と各評価結果、および、非特許文献１に記載されている組成・伝導度（すなわち、比較例１と２）とが、表１に示される。【０１５４】
【表１】
2019146219.tif 000003
2019146219.tif 000004
【０１５５】
［二次電池の作製］
アルゴングローブボックス内で、実施例３５の固体電解質材料と、活物質であるグラファイトを、５０：５０の体積比率で秤量した。これらをメノウ乳鉢で混合することで、合剤を作製した。【０１５６】
絶縁性外筒の中で、Ｌｉ３ＰＳ４を７００μｍ厚相当分、上述の合剤を１３．３ｍｇの順に積層した。これを３００ＭＰａの圧力で加圧成型することで、第１電極と固体電解質層を得た。【０１５７】
次に、固体電解質層の第１電極と接する側とは反対側に、金属Ｉｎ（厚さ２００μｍ）、金属Ｌｉ（厚さ３００μｍ）、金属Ｉｎ（厚さ２００μｍ）の順に１．１：１：１．１の体積比率で積層した。これを８０ＭＰａの圧力で加圧成型することで、第１電極、固体電解質層、第２電極からなる積層体を作製した。【０１５８】
次に、積層体の上下にステンレス鋼集電体を配置し、集電体に集電リードを付設した。【０１５９】
最後に、絶縁性フェルールを用いて、絶縁性外筒内部を外気雰囲気から遮断・密閉した。【０１６０】
以上により、実施例３５の二次電池を作製した。【０１６１】
［充放電試験］
図４は、初期放電特性を示すグラフである。【０１６２】
図４に示される結果は、下記の方法により、測定された。【０１６３】
すなわち、実施例３５の二次電池を、２５℃の恒温槽に、配置した。【０１６４】
電池の理論容量に対して０．０５Ｃレート（２０時間率）となる電流値で、定電流充電し、電圧−０．６２Ｖで充電を終了した。【０１６５】
次に、同じく０．０５Ｃレートとなる電流値で、放電し、電圧１．３８Ｖで放電を終了した。ここでいう充電とはグラファイトへのＬｉを挿入する反応を進行させることであり、放電とはグラファイトからＬｉを脱離させる反応を進行させることである。【０１６６】
以上の測定の結果、実施例３５の二次電池の初期放電容量は、１００５μＡｈであった。【０１６７】
≪考察≫
実施例１〜６３は、比較例１および２と比較して、室温近傍において、２．５×１０−７Ｓ／ｃｍ以上の高いイオン伝導性を示すことがわかる。一方で、非特許文献１のハロゲン化物固体電解質では、室温で２×１０−７Ｓ／ｃｍ程度の低いイオン伝導度しか確認されていない。【０１６８】
特に、式（１）で定義されるＭの置換量ｃの値が０≦ｃ≦１．０の範囲であれば、より高いイオン伝導性を示す。特に、Ｍ＝Ｃａのときは０．０１≦ｃ≦１．０の範囲、Ｍ＝Ｓｒのときは０．０１≦ｃ≦０．３の範囲、Ｍ＝Ｂａのときは０．０１≦ｃ≦０．６の範囲、Ｍ＝Ａｌのときは０．０１≦ｃ≦０．１の範囲、Ｍ＝Ｚｒのときは０．０１≦ｃ≦０．３の範囲であれば、より高いイオン伝導性を示す。【０１６９】
さらに、実施例１〜６３の材料は、構成元素に硫黄を含まないため、硫化水素の発生がない。【０１７０】
以上により、本開示による固体電解質材料は、硫化水素の発生が無く、かつ、高いリチウムイオン伝導度を有する電解質材料であることが示される。
【産業上の利用可能性】
【０１７１】
本開示の電池は、例えば、全固体リチウム二次電池などとして、利用されうる。
【符号の説明】
【０１７２】
１００  固体電解質粒子
２０１  正極
２０２  電解質層
２０３  負極
２０４  正極活物質粒子
２０５  負極活物質粒子
３００  加圧成形用ダイス
３０１  枠型
３０２  パンチ下部
３０３  パンチ上部
１０００  電池
【図１】
2019146219.tif 000005
【図２】
2019146219.tif 000006
【図３】
2019146219.tif 000007
【図４】
2019146219.tif 000008
【国際調査報告】
2019146219.tif 000009
2019146219.tif 000010
2019146219.tif 000011
2019146219.tif 000012